(57)【要約】      （修正有） 【課題】予め開口周縁に補強を施している紙製容器に簡単に低廉にて見栄えのよいリブを有する紙製容器の提供をするものであり、一般に多用されている例えば開口周縁に巻き込みカール部等を有する紙製容器の外周周面にきれいに並列した複数乃至多数のリブを有する紙製容器の提供をする。【解決手段】開口周縁に補強のための成型をしている紙製容器であって、該紙製容器の外周周面に底部から開口部方向に向かって押し出し成型したリブを有する紙製容器である。【選択図】図１
0003124801.tif 000002
【実用新案登録請求の範囲】
【請求項１】
開口周縁に補強のための成型をしている紙製容器１であって、
該紙製容器１の外周周面に底部から開口部方向に向かって押し出し成型したリブ１１を有することを特徴とする紙製容器。
【請求項２】
該リブ１１が縦長の凸状のリブよりなることを特徴とする請求項１記載の紙製容器。
【請求項３】
開口周縁に補強のための成型をしている紙製容器１が、開口周縁をカール状にまるめ込んで構成した紙製容器であることを特徴とする請求項１又は２のいずれかに記載の紙製容器。
【請求項４】
押し出し成型したリブ１１が多数並列して成型したものであることを特徴とする請求項１乃至３のいずれかに記載の紙製容器。
【請求項５】
開口周縁に補強のための成型をしている紙製容器１の周面に、
その内部から外部に向かって雄型２による押し出しにより縦長の凸状を並列に複数乃至多数成型したことを特徴とする紙製容器のリブ構造。
【考案の詳細な説明】
【技術分野】
【０００１】
本考案は、開口部の端周縁を巻き込み等で補強すると共に該補強した容器の内部より外部方向に紙製容器の周面を突出してリブを設けた開口周縁に補強を施している紙製容器及びそのリブ構造に関する。
【背景技術】
【０００２】
従来より、紙製容器は略扇状に構成した紙片を丸めて略筒状とした上で底面を貼着することによって構成するものが多用されているものである。
更に、紙製容器の周面に関して凹凸を付けることによって美観を高めると共に高級感を表出することも行われている。
即ちクリスマス用の焼き菓子用の紙製容器等は、外表面である外周面にダンボール紙の凹凸面を表出させるが、そもそもダンボール紙自体の製造には複数工程が必要であり、どうしてもコスト高になる。
【０００３】
この外表面の凹凸模様は、焼き菓子等における焼成等において特段の効果を有するものではないが、季節感や高級感を出すために多用されており、この需要のためどうしてもコスト高の段ボール紙を用いて紙製容器を製造することが必要であった。
しかし、この段ボール紙を用いると、底面の貼着における貼着面の凹凸による見栄えの悪さや貼着強度の低減化などが生じると共に開口周縁部等の成型例えばカール等による開口部の補強を行おうとしてもダンボールの凹凸形状によってカールできないなどの欠点を有していたものである。
【０００４】
この他、外周面におけるリブ状凹凸とは異なり、外表面に縦襞構成を有する紙製容器の多用されている。
この場合例えば特開２００３‐２６１４２号（特許文献１）に示す発明が存在する。
係る発明は縦襞付きの紙製容器からなるものであり、開口周縁は縦襞による折の連続構成となっている。
更に縦襞付き紙製容器の開口周縁の強度補強をなした構成として  例えば特開２００３‐３３５３１６号（特許文献２）に示す発明が存在する。
【０００５】
該発明は雄型と雌型で縦襞付き紙製容器を成型するものであり、縦襞付き容器形状を形作ると共に開口部は広げ起こして、更に別工程にてカール縁辺を成型するものである。
又、特開２００３‐３１２６２９号（特許文献３）に示す発明においても同様であり、縦襞付き容器形状を形作ると共に、更に別工程にて開口部周辺を成型して鍔状縁辺を成型するものである。
【特許文献１】特開２００３‐２６１４２号
【特許文献２】特開２００３‐３３５３１６号
【特許文献３】特開２００３‐３１２６２９号
【考案の開示】
【考案が解決しようとする課題】
【０００６】
以上の様に、紙を主材料とする紙製容器に関しては、美観の点等により縦方向の模様となる折り込みを多用しているものであり、この紙製容器はそれぞれ各種の工程を経て製造されているものである。
従って、前記のように例えば段ボール紙を用いる場合にはどうしてもコスト高になると共に、周縁部分に関しては段ボール紙を横方向に凹凸を有する構成即ち段ボールの凹部と凸部がそれぞれ底方向から開口方向に向かって位置して構成している場合には、開口周縁部分をカール状に折り込むためには段ボールの凹凸が邪魔となって折り込むことができないこととなる。
【０００７】
更にこの場合特開２００３‐２６１４２号（特許文献１）に示す発明があり、縦襞を有する紙製容器の成型は多用されていると共に該構成の成型によって極めて有用な発明を提供するが、開口部分がどうしてもギザギザの構成となり、不用意に開きかねないものであった。
従って、この様な状態の開口周縁を有する場合には襞の部分が邪魔をして簡単にカールすることができないものとなる。
【０００８】
更に、開口周縁の強度を増した構成としては、特開２００３‐３３５３１６号（特許文献２）に示す発明があり、まず容器の成型において底部と共に周縁の縦襞を一体成型することから成形性の手間の点では極めて有用であるが、どうしても底部の立ち上がり部分の襞形状が歪みかねず、更に開口周縁部は横方向の鍔部分とそれに連接する縦壁部分を構成することとなり、この部分の襞部分の連増部分がどうしてもつぶれて形成されるものであった。
更に強度を増すためにこの周縁部分をカールさせるには更にカール工程を必要とするものであった。
【０００９】
次に特開２００３‐３１２６２９号（特許文献３）に示す発明においても、どうしても前記と同様に底部の立ち上がり部分の襞形状が歪みかねず、更に開口周縁も一旦襞構成にした上で再度押しつぶすことによって成型することから、手間がかかると共に襞のつぶれ状態が出てしまうものである。
以上のように外見上極めて美観が高く、その要望の高い縦襞を周面に有する紙製容器において、更に開口周縁の強度を有する何らかのリブ構造を望まれていると共に、これらを具備する紙製容器の提供が望まれているものである。
特にこれらの紙製容器はどうしても低廉であることが必要であると共にその製造も簡単にできるものであることが要求されるものである。
【課題を解決するための手段】
【００１０】
本考案は係る点を見事に解決するものであり、係るため請求項１に係る考案は、開口周縁に補強のための成型をしている紙製容器であって、該紙製容器の外周周面に底部から開口部方向に向かって押し出し成型したリブを有する紙製容器よりなり、係る考案によって前記課題を解決できる。
この場合請求項２に係る考案は該リブが縦長の凸状のリブよりなるものであり、かかる考案によっても同様である。
【００１１】
更に、請求項３に係る考案は開口周縁に補強のための成型をしている紙製容器が、開口周縁をカール状に丸め込んで構成した紙製容器に用いてもよい。
又、請求項４に係る考案のように、押し出し成型したリブが多数並列して成型した紙製容器でもよい。
これらの他、請求項５にかかる考案のように開口周縁に補強のための成型をしている紙製容器の周面に、その内部から外部に向かって雄型による押し出しにより縦長の凸状を並列に複数乃至多数成型した紙製容器のリブ構造を用いることによって、同様に前記課題を解決できる。
【考案の効果】
【００１２】
以上のように構成することから、予め開口周縁に補強を施している紙製容器に、その外周周面部分に凸部形状を簡単にかつ見栄え良く構成することができ、係る見栄えのよい凸部即ちリブを有する紙製容器の提供が可能となる。
従って、一般に多用されている例えば開口周縁に巻き込みカール部等を有する紙製容器の外周周面にきれいに並列する複数乃至多数のリブを成型でき、該リブを有する紙製容器の提供ができると共に紙製容器のリブ構造の提供が可能となる。
係る紙製容器及びリブ構造は極めて簡単に成型できると共に低廉の紙製容器の提供を可能とするものである。
【考案を実施するための最良の形態】
【００１３】
図１は、本発明に係る開口周縁の巻き込み１０を有する紙製容器1のリブ構造を有する紙製容器を示す図である。
本図に示す通り、紙製容器１の開口周縁にはカール状の巻き込み１０を有していると共に外周の周面にはリブ１１が形作られている。
更に該リブ１１の周囲である紙製容器の周面には雄型により押し広げに伴う若干の押し広がり部が形成されている。
尚、この押し広がり部分は雄型がきっちりと容器と一致する大きさであれば生じないものであり、押し広がり部分を有するものであっても或いはないものであってもいずれでもよい。
【００１４】
本図に示す紙製容器は、まず周面を構成する略扇状紙葉を丸め、両端部分の開口縁の口径の相違する略筒状体に、口径の小さい孔部分に容器の底面部１２を接着して紙製容器１を構成すると共に開口周縁である口径の大きい孔の周縁部分をカールして丸め込んで周縁部１０を形成してなる紙製容器である。
この様に紙製容器１は従来より多用されており、その成型は低廉にかつ簡単に行える一般的なものであればよい。
この様に構成した紙製容器１の開口部からその内部方向に該開口部とほぼ同じ程度の雄型２を挿入して、更にその状態で雌型３にはめ込んで型取りをするものである。
【００１５】
この場合，該雄型２の円筒状外周面には該筒２０の中心軸部に沿ってリブ２１構成が突出形成されているものである。
従って、この雄型２と雌型３によって型取りをすることによって紙製容器１の周面には該雄型２のリブ形状２１に沿って、紙製容器１がその内部方向から外部方向に押し出されることになり、紙製容器１の周面に押し出し成型されたリブ１１が成型されるものである。
従って、紙製容器１の内径はそのままに更にリブ１１部分のみが押し出され、当初の口径よりも広い位置に突出形成されることとなる。
【００１６】
従って、紙製容器１自体は開口周縁にカール状周縁部１０を有しつつ、更に簡単にリブ１１構造を有することができ、更にはリブ１１構造を有する紙製容器１を得ることができるものである。
図２は、図１に示す紙製容器１の平面図である。
本図に示す通り、周面に底部方向から開口部方向に向けてリブ１１が並設されている。
尚、開口部周縁はカールして丸め込んで周縁部１０を形成しているものである。  
図３は、雄型２と雌型３と成型前の紙製容器１の成型に際しての概念状態の一例を示す図である。
係る様に、多用されている開口部の周縁にカール１０を有する紙製容器１を該内径と同程度の大きさを有する略円筒状雄型２を有し、該筒２０の外周面には中心軸部に沿って突出形成したリブ部２１が多数並設されている。
該筒２０がほぼ紙製容器と共通径を有するものであり、突出成型したリブ２１部分によって紙製容器１にリブ１１構造が突出成型されるものである。
【００１７】
この場合雌型３は雄型２の該リブ２１によって紙製容器に成型可能であればよく、該リブ２１に合致する凹み部３１を有するもの等の構成であってもよい。
少なくとも雄型２によってリブ１１を紙製容器１に成型できればよいものであり、特段雌型３の構成に関しては任意の形態であればよい。
これは雄型２によって紙製容器１の周面を押し出し成型し、リブ１１の形成できればよいことから、雄型２のみの形態によって押し出し成型するものであってもよいことを意味するものであり、雌型３を有しない構成であってもよいものである。
【００１８】
従って、雌型３を有しない構成のほか、或いは雌型３には特段の内周構成を有していないものであっても、或いは雄型２のリブ部２１に合致する形態を有する雌型３であってもよいものである。
本図においては特に雄型２の突出リブ２１に沿った凹部３１を有している構成の一例を示す。
又、雄型２の筒２０の径は略紙製容器と同様と明示するが、これは全くの同径であっても、或いはやや細径で突出リブ２１構造が紙製容器の内径よりも太い径位置にまで突出形成されているものであってもよく、或いは紙製容器よりもやや太径で、紙製容器を全体的にやや押し広げつつ更にリブ１１を成型するものであってもよい。
【００１９】
この場合において紙の張力が高いもの即ちやや厚手のもの等である場合や密度の高い紙或いは他の素材とのラミネート紙やコート紙等、或いは一部に紙を用いた複合紙等を用いた場合には張力が高いものもあることからかかる構成でも十分に対処できるものである。
従って、雄型２の径は少なくともリブ２１部分の外部端が紙製容器１の内径よりも外に位置するものであればよい。  尚、前記の通り本考案における紙製容器１とは、薄手の各種紙葉によって構成された紙製容器と共に厚手の要旨によって構成されるものでも、或いは紙と共に他の素材とのラミネート紙やコート紙などでもよく、或いは一部に紙を用いた複合紙等を用いて構成した紙製容器１も含まれるものである。
【００２０】
図４は、雄型２と雌型３によって紙製容器１を挟み込んで成型している段階の紙製容器の一例を示す図である。
特に本図は図３に示す雄型２について紙製容器１を挟んで雌型３に嵌着した状態を示す図である。
従って、この様に雄型２を圧力を加えて雌型３にはめ合わせることによって、間にはさまれた紙製容器２の周面からリブ部１１を押し出し成型することができ、係る成型によってリブ１１部を構成できるものである。
図５は、図４に示すＡ−Ａ線の一部拡大断面図である。
【００２１】
本図に示すように、雄型２と雌型３とにはさまれて紙製容器１の周面にリブ１１部が形成されるものである。
また、該リブ１１部は本図では弧状の凸部状形状を一定間隔を以って並設しているものであり、この凸部の個数や間隔、或いは凸部の形状や幅は任意に設定するものであってよい。
特に各種容器に合わせてリブ部を有していればよく、本構成はその一例を示すものである。
従って、例えば弧状の幅をもっと広くしたリブ部を用いても、或いはもっと狭く略線状のリブ部などを用いるものであってもよい。
【００２２】
もとより、リブ部間の間隔を極めて狭く取り、リブ部が密に並設されるものであってもよい。
更に、リブ部の形状に関し、本図では横断面形状として弧状形状を一例として示すが、この構成に限定されるものでなく、例えばこの横断面形状が四角状の凸状形態でも、或いは三角状の凸状形態であってもよい。
或いは横断面形状として楕円形状とするものや、任意の角部や直線部を有する構成のリブ部を用いてももちろんよい。
【００２３】
図６は、本考案に係る紙製容器の他の一例を示す図であり、図７は、図６にかかる紙製容器の平面図を示す。
これらの図に示す構成は縦状のリブ１１部を小間隔に多数並列して構成した一例を示す図である。
この様にすることにより開口周縁に補強部１０を有すると共に周面にリブ１１部を形成した紙製容器１を簡単に提供できるものである。
【図面の簡単な説明】
【００２４】
【図１】本考案に係る紙製容器の一例を示す図
【図２】図１に示す紙製容器の平面図
【図３】雄型と雌型と紙製容器による成型に関する一例を示す図
【図４】雄型と雌型と紙製容器による成型に関する一例を示す図
【図５】図４に示すＡ−Ａ線の一部拡大断面図
【図６】本考案に係る紙製容器の他の一例を示す図
【図７】図６に示す紙製容器の平面図
【符号の説明】
【００２５】
１    紙製容器
１０    丸め込み周縁部
１１    リブ
１２    底面部
２    雄型
２０    雄型の筒
２１    雄型のリブ
３    雌型
３１    雌型のリブ
【図１】
0003124801.tif 000003
【図２】
0003124801.tif 000004
【図３】
0003124801.tif 000005
【図４】
0003124801.tif 000006
【図５】
0003124801.tif 000007
【図６】
0003124801.tif 000008
【図７】
0003124801.tif 000009